(57)【要約】【課題】簡易かつ低コストで密封性を概ね確保でき、衛生的で、さらに繰り返し密封することができる簡易密封包装されたシート状油性食品を提供する。【解決手段】シート状油性食品と、前記シート状油性食品の上を覆う上パウチと、前記シート状油性食品の下を覆う下パウチとからなり前記上下パウチが自己密着してなる包装されたシート状油性食品であって、成型機ノズルから板状に連続して排出された油性食品をカットしてシート状油性食品を成型し、前記シート状油性食品をロール状に巻かれた下パウチを乗せたベルトコンベア上に載せ移動させるとともに、ロール状に巻かれた上パウチを前記シート状油性食品の上に載せ、上部から横ローラーで押圧し、上下パウチの左右端部をサイドローラーにより押圧して、前記上下パウチを自己密着させた後、連続シート状の上下パウチをカッターで押し当てて切断してなることを特徴とする包装されたシート状油性食品の構成とした。【選択図】図１
0003156339.tif 000002
【実用新案登録請求の範囲】
【請求項１】
シート状油性食品と、前記シート状油性食品の上を覆う上パウチと、前記シート状油性食品の下を覆う下パウチとからなり、前記上下パウチが自己密着し、シート状油性食品を包装したことを特徴とする包装されたシート状油性食品。
【請求項２】
成型機ノズルから板状に連続して排出された油性食品をカットしてシート状油性食品を成型し、前記シート状油性食品をロール状に巻かれた下パウチを乗せたベルトコンベア上に載せ移動させるとともに、ロール状に巻かれた上パウチを前記シート状油性食品の上に載せ、上部から横ローラーで押圧し、上下パウチの左右端部をサイドローラーにより押圧して、前記上下パウチを自己密着させた後、連続シート状の上下パウチをカッターで押し当てて切断してなることを特徴とする請求項１に記載の包装されたシート状油性食品。
【請求項３】
前記横ローラーが、スプリングで下方に押されていることを特徴とする請求項２に記載の
包装されたシート状油性食品。
【考案の詳細な説明】
【技術分野】
【０００１】
本考案は、包装されたシート状油性食品に関する。
【背景技術】
【０００２】
シート状油性食品とは、油分を多量に含み、シート状に成形された食品のことであり、バター、マーガリン、チーズ、ショートニング、シート状フラワーペース、固形油など含水、無水何れも含まれる。また、それらを練り込んだシート状のパン生地（冷蔵、冷凍）なども含まれる。
【０００３】
特に、製パンメーカーなどで使用する大型のシート状油性食品は、使用頻度が早く、要冷管理されるため、また取り出しの煩雑さから、密封包装しなくてもよい場合がある。
【０００４】
とはいえ、何の仕切りもなしに、シート状油性食品を複数枚梱包すると、シート状油性食品同士が貼り付き、使用時に剥離作業が必要となり、煩雑であるため、図４に示すように密封包装しないサンドされたシート状油性食品１６が流通している。
【０００５】
図４に示す形態は、上下フィルム１７、１８の間にシート状油性食品２を挟む方法である。複数枚のサンドされたシート状油性食品１６を１のダンボール箱などに梱包して流通させる。上下フィルム１７、１８には密着性のないブラスチックフィルム或いは薄紙などが使用されていた。しかし、個別包装するには衛生的に到底適さない。
【０００６】
シート状油性食品２を密封包装し衛生的に流通させる場合には、フィルムを熱融着する方法、接着剤で貼り合わせる方法、ピロー包装などが採用される。また、特許文献１に記載の方法も開示されている。
【０００７】
特許文献１に記載の発明は、シート状食品を、製袋機により長手方向の重合面を開封時に包装フィルムを破ることなく開封できるようにヒートシール（センターシール）して筒状に成形されながら水平方向に送られる包装フィルム内に１枚ずつ連続的に供給し、横手方向も開封時に包装フィルムを破ることなく開封できるように１枚ごとにヒートシール（エンドシール）して封入、切断することを特徴とする業務用シート状食品の包装方法である。これにより、紙粉などの異物混入が生じにくい業務用シート状食品の包装方法を低コストで提供することできるというものである。
【先行技術文献】
【特許文献】
【０００８】
【特許文献１】国際公開ＷＯ２００６／１２０７８５
【考案の概要】
【考案が解決しようとする課題】
【０００９】
しかしながら、サンドされたシート状油性食品２では、フィルムの隙間からゴミなどが付着し衛生的であるとはいえない。また、熱融着包装、ピロー包装、特許文献１のような包装形態では、新たな包装器機の導入、設置スペースが必要になり、製品コストが割高となってしまう。さらに、熱によるシート状油性食品２の熱変形が問題となる。
【００１０】
また、接着剤による貼り合わせでは、接着剤がシート油性食品２に付着する恐れがある。加えて、熱融着包装、ピロー包装、接着剤による貼り合わせ形態では、開封に密封包装体をカットしなければならず、切断片などがシート状油性食品に混入する危険性がある。また、使い残りの再包装が困難であった。
【００１１】
そこで、本考案は、簡易かつ低コストで密封性を概ね確保でき、衛生的で、さらに繰り返し密封することができる簡易密封包装されたシート状油性食品を提供することを課題とする。
【課題を解決するための手段】
【００１２】
本考案は、上記課題を解決するために、シート状油性食品と、前記シート状油性食品の上を覆う上パウチと、前記シート状油性食品の下を覆う下パウチとからなり、前記上下パウチが自己密着し、シート状油性食品を包装したことを特徴とする包装されたシート状油性食品の構成とした。
【００１３】
また、成型機ノズルから板状に連続して排出された油性食品をカットしてシート状油性食品を成型し、前記シート状油性食品をロール状に巻かれた下パウチを乗せたベルトコンベア上に載せ移動させるとともに、ロール状に巻かれた上パウチを前記シート状油性食品の上に載せ、上部から横ローラーで押圧し、上下パウチの左右端部をサイドローラーにより押圧して、前記上下パウチを自己密着させた後、連続シート状の上下パウチをカッターで押し当てて切断してなることを特徴とする前記包装されたシート状油性食品。
【００１４】
さらに、前記横ローラーが、スプリングで下方に押されていることを特徴とする前記包装されたシート状油性食品の構成とした。
【考案の効果】
【００１５】
本考案は、上記構成であるので次の効果を発揮する。第１に、上下パウチとして自己密着型ポリエチレン樹脂などを使用するため、容易に密封包装でき、衛生的にシート状油性食品を提供することができる。
【００１６】
さらに、当該上下パウチであれば、手などの押圧により容易に圧着し、繰り返し密封できるので、使い残ったシート状油性食品を容易に再密封することができ、衛生的に保管できる。また、熱、接着剤を使用しないため、シート状油性食品の熱変形、有害物質の混入の恐れがない。さらに、開封において密着包装体をカットする必要がなく、切断片のシート状油性食品への混入の恐れもない。
【００１７】
また、本考案である包装されたシート状油性食品は、既存のシート状油性食品製造ライン中に容易に導入できるパウチ送り機構、押圧機構、切断機構を用いるため、省スペースかつ高価な包装器機を新たに導入する必要がなく低コストでシート状油性食品の密封包装を可能にする。
【図面の簡単な説明】
【００１８】
【図１】本考案である包装されたシート状油性食品の斜視模式図である。
【図２】本考案である包装されたシート状油性食品の断面模式図である。
【図３】本考案である包装されたシート状油性食品の包装ラインの模式図である。
【図４】従来のサンドされたシート状油性食品の斜視模式図である。
【考案を実施するための形態】
【００１９】
以下に、添付図面に基づいて、本考案である包装されたシート状油性食品について詳細に説明する。
【実施例１】
【００２０】
図１は、本考案である包装されたシート状油性食品の斜視模式図である。図２は、本考案である包装されたシート状油性食品の図１のＡ−Ａ断面模式図である。
【００２１】
包装されたシート状油性食品１は、シート状油性食品２と、シート状油性食品２の上を覆う上パウチ３ａと、シート状油性食品の下を覆う下パウチ３ｂとからなり、上下パウチ３ａ、３ｂが押圧により自己密着して、密着包装体３により包装されてなる。
【００２２】
図２に見られるように、上下パウチ３ａ、３ｂの四方の端部が自己密着し圧着部３ｃを形成し、ローラーなどで押圧することでシート状油性食品２と上下パウチ３ａ、３ｂとの接着面から空気を除き密着させることができる。また、シート状油性食品２の四方には空間３ｄが形成される。
【００２３】
上下パウチ３ａ、３ｂは、自己密着型樹脂であり、例えば、サランラップ（登録商標／旭化成ケミカルズ（株））、クレラップ（登録商標／（株）クレハ）、ポリラップ（登録商標／宇部フィルム（株））等の家庭用食品ラップ或いは積まれた荷物を固定するストレッチフィルムと同様の自己粘着性或いは接着性素材が採用できる。その素材として、例えばポリ塩化ビニデン、ポリエチレン樹脂等が例示できる。
【００２４】
上下パウチ３ａ、３ｂは、軽く押圧することで圧着し、簡易に概ね密封性を確保することができ、低コストで衛生的に包装されたシート状油性食品を提供することができる。上下パウチの間に付箋などを挟み込むと上下パウチ３ａ、３ｂの剥離作業が容易になる。
【実施例２】
【００２５】
図３は、本考案である包装されたシート状油性食品の包装ラインの模式図である。図３Ａは側面模式図、図３Ｂは平面模式図である。ここではシート状油性食品２であるマーガリン７の包装について説明する。図中の各矢印は、各部材の進行方向、動作方向を示す。
【００２６】
シート状油性食品１の包装ライン４は、シート状油性食品２（マーガリン７）を載せて移動させるベルトコンベア５、５ａ、５ｂと、パウチ送り機構４ａと、押圧機構４ｂと、切断機構４ｃからなる。
【００２７】
マーガリン７などの油性食品は、マーガリン７製造機等のノズル８から板状に連続的に排出される。それをノズル８出口で、カッター９により切断し、シート状油性食品を成形し、ベルトコンベア５に載せられる。ここでの工程は、シート状油性食品２により異なり、切断されたシート状油性食品２をベルトコンベアに載せることができればよい。
【００２８】
カッター９も上下動するカッターに限らず、スライド歯、回転歯などであってもよい。図に示したように、上下動するカッター９であれば、床６などに固定した台１０上でマーガリン７を切断する必要がある。
【００２９】
パウチ送り機構４ａは、ロール状に巻かれた上パウチ３ａと、ロール状に巻かれた下パウチ３ｂと、上下パウチ３ａ、３ｂをベルトコンベア５ｂ上に誘導する各ガイドローラー１１からなる。
【００３０】
上パウチ３ａは、ロール状に巻かれ、マーガリン７の上方に位置し、マーガリン７の上に１枚のシート状に連続的に載せられる。望ましくは、ベルトコンベア５ａ、５ｂの移動速度に同期して、ロール状に巻かれた上パウチ３ａを一点矢印方向に自転させ送り出す。必要に応じて、回転するガイドローラー１１を採用し、ガイドローラー１１の位置を調節し、マーガリン７に載せる上パウチ３ａの位置を調節する。
【００３１】
下パウチ３ｂは、ロール状に巻かれ、マーガリン７及びベルトコンベア５ａの下方に位置し、ベルトコンベア５ａの上でマーガリン７の下にベルトコンベア５とベルトコンベア５ａの間から１枚のシート状に連続的に送り込まれる。望ましくは、ベルトコンベア５ａ、５ｂの移動速度に同期して、ロール状に巻かれた下パウチ３ｂを一点矢印方向に自転させ送り出す。必要に応じて、回転するガイドローラー１１を採用し、ガイドローラー１１の位置を調節し、ベルトコンベア５ａに送る下パウチ３ｂの位置を調節する。
【００３２】
押圧機構４ｂは、密着機構１２とサイドローラー１３、１３ａからなる。密着機構１２は、回転する横ローラー１２ａをスプリング１２ｂにより上パウチ３ａ上方から押しつける。そして、横ローラー１２ａはスプリング１２ｂにより押しつけられているだけであるので、横ローラー１２ａとベルトコンベア５ａとの間を通る上下パウチ３ａ、３ｂ、マーガリン７の高低差に沿って上下動する。
【００３３】
従って、マーガリン７の進行方向の先後端部の上下パウチ３ａ、３ｂを圧着させることができる。また、マーガリン７と上下パウチ３ａ、３ｂとの間の空気を除く作用も有する。
【００３４】
サイドローラー１３、１３ａは、マーガリン７の進行方向の上下パウチ３ａ、３ｂの側部を押圧し、回転しながら上下パウチ３ａ、３ｂ側部を圧着する装置である。また、上下パウチ３ａ、３ｂを進行方向に撚れることなく送る機能も有する。なお、サイドローラーは、一体としても別体としてもよい。さらに、スプリングの付勢を付与してもよい。サイドローラー１３、１３ａ表面は、上下パウチ３ａ、３ｂで滑らない素材、シリコン等で被覆されていることが望まし。
【００３５】
切断機構４ｃは、第２カッター１４と台１５からなる。第２カッター１４は、ベルトコンベア５ａとベルトコンベア５ｂの間に位置し、上下パウチ３ａ、３ｂの進行方向の先後端部位置で切断する。
【００３６】
この切断によって、上下パウチ３ａ、３ｂの進行方向の先後端を強く圧着する。従って、第２カッター１４は、図示されている両矢印のようにマーガリン７の移動速度に同期して間欠的に上下動し、上下パウチ３ａ、３ｂを押圧して切断する機構が望ましい。よって、第２カッター１４下方には、上下パウチ３ａ、３ｂを載せる床６等に固定した台１５を設ける。
【００３７】
上下パウチ３ａ、３ｂの進行方向の先後端を切断し、個別にマーガリン７を上下パウチ３ａ、３ｂで密封し、本考案である包装されたシート状油性食品１が完成する。この後、簡易密封された包装されたシート状油性食品１は、段ボールなどに複数枚毎に梱包する梱包工程へ進み、梱包され、保管、流通される。
【産業上の利用可能性】
【００３８】
本考案であるシート状油性食品は、簡易かつ低コストで密封性を概ね確保でき、衛生的かつ繰り返し密封することができるため、特に業務用の簡易密封包装されたシート状油性食品に最適で、食品業界に大きく貢献することができる。
【符号の説明】
【００３９】
１      包装されたシート状油性食品
２      シート状油性食品
３      密着包装体
３ａ    上パウチ
３ｂ    下パウチ
３ｃ    圧着部
３ｄ    空間
４      包装ライン
４ａ    パウチ送り機構
４ｂ    押圧機構
４ｃ    切断機構
５      ベルトコンベア
５ａ    ベルトコンベア
５ｂ    ベルトコンベア
６      床
７      マーガリン
８      ノズル
９      カッター  
１０    台    
１１    ガイドローラー
１２    密着機構
１２ａ  横ローラー
１２ｂ  スプリング
１３    サイドローラー
１３ａ  サイドローラー
１４    第２カッター
１５    台
１６    サンドされたシート状油性食品
１７    上フィルム
１８    下フィルム
【図１】
0003156339.tif 000003
【図２】
0003156339.tif 000004
【図３】
0003156339.tif 000005
【図４】
0003156339.tif 000006